(57)【要約】【課題】  簡便な椅子としても利用可能なホースリールを提供する。【解決手段】  ホースリール１は、巻取ドラム２と、巻取ドラムを収容する空間を形成する４本の脚６〜９と、４本の脚のうちの、対を成す各２本の脚の間に渡された一対の支持フレーム８、９とを備え、支持フレーム８、９には巻取ドラム２が回転可能に支持され、巻取ドラム２の回転によって、ドラムからホースを延ばしたり、巻取ドラムへ収容したりできる。４本の脚の上端には矩形の天板２３が固着され、天板２３は、作業者が椅子として座ることのできる剛性を有する。【選択図】          図１
2006151619.tif 000002
【特許請求の範囲】
【請求項１】
ホースが巻回される巻取ドラムと、この巻取ドラムを収容する空間を形成する複数の脚と、該脚の間に渡されて前記巻取ドラムを回転可能に支持する支持フレームとを備え、巻取ドラムの回転によって、該巻取ドラムからホースを延ばしたり、巻取ドラムへホースを収容したりできる、ホースリールであって、
前記脚の上端には天板が固着され、該天板は、作業者が椅子として座ることのできる剛性を有する、ことを特徴とするホースリール。
【請求項２】
請求項１に記載のホースリールにおいて、前記天板には、工具や固着具等の物品を収容できる収納部が形成され、該収納部には、開閉可能なカバーが設けられていることを特徴とするホースリール。
【請求項３】
請求項１又は２に記載のホースリールにおいて、前記天板には、前記巻取ドラムに巻回されるホースの絡まりや配列を手直しできる開口が形成されている、ことを特徴とするホースリール。
【発明の詳細な説明】
【技術分野】
【０００１】
本発明は、エアーホースや散水ホース等の長いホースを巻取ドラムに巻回して、使用時にはホースを必要長さ延ばし、使用後にはホースを巻取ドラムに巻回して収容する、ホースリールに関する。
【背景技術】
【０００２】
ホースリールは、例えば、長い散水ホースを収容したり、空圧工具のための長いエアーホースを収容したりするのに用いられる。
【０００３】
【特許文献１】特開平９−１９５６５３号公報
【特許文献２】特開２００４−１６８５２６号公報
【０００４】
特許文献１（特開平９−１９５６５３号公報）には、ホースリールが収容される踏み台が開示されている。特許文献２（特開２００４−１６８５２６号公報）には、ホースリールの店頭販売時の陳列の場合に、スペースを節約し積み重ねることのできるホースリールが開示されている。
【発明の開示】
【発明が解決しようとする課題】
【０００５】
ホースリールからホースを引き出して所望の作業を行う作業者は、作業中に座ることを望むことがある。その場合にホースリールが椅子として利用できると便利である。特許文献１は、踏み台にホースリールを設けたホースリール付き踏み台を開示している。このホースリール付き踏み台は、踏み台が主たる機能であり、簡便な椅子として用いるには不向きである。特許文献２は、スペースを節約するように積み重ねる構成を有するホースリールを、開示する。しかし、特許文献２に記載のホースリールは、簡便な椅子として使用するには適していない。
【０００６】
本発明の目的は、簡便な椅子としても利用可能なホースリールを提供することにある。
【課題を解決するための手段】
【０００７】
かかる目的を達成するため、本発明によるホースリールは、ホースが巻回される巻取ドラムと、この巻取ドラムを収容する空間を形成する複数の脚と、脚の間に渡されて巻取ドラムを回転可能に支持する支持フレームとを備え、巻取ドラムの回転によって、巻取ドラムからホースを延ばしたり、巻取ドラムへ収容したりできる、ホースリールであって、脚の上端には天板が固着され、天板は、作業者が椅子として座ることのできる剛性を有することを特徴とする。これによって、ホースリールを簡便な椅子としても利用できる。
【０００８】
上記ホースリールにおいて、天板には、工具や固着具等の物品を収容できる収納部が形成され、収納部には、開閉可能なカバーが設けられているのが好ましい。これによって、空圧式の固着具打込機を使用する作業者や散水作業を行う作業者が、必要な工具の備品や固着具あるいは部品等を収納することができる。また、天板には、巻取ドラムに巻回されるホースの絡まりや配列を手直しできる開口が形成されているのが好ましい。これによって、ホースの収納を適正に行うことができる。
【発明を実施するための最良の形態】
【０００９】
以下、本発明の１実施形態について、図１〜図７を参照して説明する。ホースリール１は、ホースが巻回される巻取ドラム２を収容する空間を形成し且つ巻取ドラム２の支持脚となる４本の脚３、４、５、６と、４本の脚のうちの、対を成す各２本の脚３及び４並びに脚５及び６の間に渡された一対の支持フレーム８及び９とを備えている。更に、対を成す各２本の脚３及び４並びに脚５及び６の間には、巻取ドラム２の軸方向長さ（幅）に対応した間隔を定める一対のサブフレーム１０及び１１が設けられている。一対の支持フレーム８及び９には、巻取ドラム２の軸が回転可能に支持されている。巻取ドラム２の両側には、大径の円板で成る側板１３及び１４が設けられ、ホースを巻取ドラム２上に収容する側壁を形成する。巻取ドラム２の回転軸の一端にはハンドル１５が固着されて、巻取ドラム２の回転に用いられる。このハンドル２の操作によって、巻取ドラム２を回転させ、巻取ドラム２に収容されたホース（図示せず）を所望の長さ延ばしたり、作業終了後、延ばしたホースを巻取ドラム２へ収容したりできる。なお、ハンドル５は、側方へ突出しないように折畳み可能にすることもできる。
【００１０】
４本の脚３〜６は、それぞれ、独立の棒状体で形成してもよいが、図６に示すように、例えば、一対の脚５及び６を１本のＵ字形状のパイプフレームで形成してもよい。その場合、他の一対の脚３及び４も同様のＵ字形状のパイプフレームで形成される。また、対を成す各２本の脚３及び４並びに脚５及び６の間には、巻取ドラム２の軸方向長さに対応した間隔を定める一対のサブフレーム１０及び１１の他に、サブフレームと同様の補助フレーム１７、１８、１９、２０（図６等）が設けられるのが好ましい。これらの補助フレーム１７〜２０によって、巻取ドラム２を包囲する脚３〜６を含むフレーム全体を一層強固にする。ホースが巻取ドラム２から出る部分には、巻取ドラム２の幅方向に長い長方形の開口を形成するガイド２２が形成されている。ガイド２２の開口を通ってホースが引き出され、収納時には、ガイド２２の開口の長さ方向に沿って均等に動かしながら巻取ドラム２に整列させて収納させる。なお、脚やフレーム、並びに巻取ドラム等の材料は、必要な剛性が得られれば、金属であっても、プラスチックであってもよい。
【００１１】
４本の脚３、４、５、６の上端には、矩形の天板２３が固着されて、巻取ドラム２の上方を覆っている。天板２３の４隅に４本の脚３〜６の上端が固着されて、これら４本の脚で支えられる。天板２３は、作業者のシートなって、ホースリール１を簡便な椅子として利用できる。なお、図６に図示のように、対を成す脚３及び４並びに他の対を成す脚５及び６のそれぞれが１本のＵ字形状のパイプフレームで形成されている場合には、天板２３は、脚３及び４の上端の間に延びる横フレーム部分（２５）及び脚５及び６の上端の間に延びる横フレーム部分２５にも着座して支えられる。天板２３は、作業者が椅子として座ることのできる剛性を有する。天板２３は、金属材料で形成されてもよいが、作業者が椅子として座ることのできる剛性を有する限り、プラスチックで形成されてよい。天板２３は、単純な平板で形成してもよいが、剛性を得るため、あるいは、外観の向上のため、縁部から短く垂下する側壁２６、２７、２８、２９を有するのが好ましい。天板２３によって、作業者が椅子として座ることができ、ホースリール１を簡便な椅子としても利用できる。
【００１２】
天板２３には、工具や固着具等の物品を収容できる収納部３１が形成されている。収納部３１には、空圧式の固着具打込機を使用する作業者や散水作業を行う作業者が、必要な工具の備品や固着具あるいは部品等を収納することができる。収納部３１には、開閉可能なカバー３２が設けられている。カバー３２は、図７に図示のように、断面Ｌ型のプレートで形成されて下端側で旋回可能にピボット連結されるのが好ましい。これによって、収納部３１を大きく開放できる。カバー３２が透明な材料で形成されれば、中の収納物品を目視でき、便利である。また、天板２３には、ホースのガイド２２に対応する位置に、巻取ドラム２に巻回されるホースの絡まりや配列を手直しできるように、ガイド２２の長さに拡がる細長い開口３３が形成されている。これによって、ホースを収納するとき、ホースが絡まったり、不適正に収納される状態にあるとき、開口３３から手を差し入れてホースの収納を適正に修正することができる。
【００１３】
更に、天板２３には、ホースリール１の全体を持ち上げることのできる取っ手３５が設けられている。取っ手３５は、通常時には天板２３の表面と面一に非操作位置にあり、椅子のシート面を平らに保っている。図２及び図６に示すように、取っ手３５の近傍には、取っ手３５の握り部分を引き出すことができるように、凹部３６が形成されている。凹部３６に手を差し入れて、取っ手３５の握り部分を引上げると、図７に図示のように、取っ手３５が大きく引上げられる。作業者は、取っ手３５を握って持ち上げると、ホースリール１を運搬できる。
【図面の簡単な説明】
【００１４】
【図１】本発明の１実施形態に係るホースリールの斜視図である。
【図２】図１のホースリールの平面図である。
【図３】図１のホースリールの正面図である。
【図４】図１のホースリールの左側面図である。
【図５】図１のホースリールの右側面図である。
【図６】図４のホースリールのVI−VI線断面図である。
【図７】図１のホースリールを背面側から見た斜視図である。
【符号の説明】
【００１５】
１  ホースリール
２  巻取ドラム
３、４、５、６  脚
８、９  フレーム
１０、１１  サブフレーム
１３、１４  巻取ドラムの側板
１５  ハンドル
１７、１８、１９、２０  補助フレーム
２２  ガイド
２３  天板
２５  横フレーム部分
２６、２７、２８、２９  側壁
３１  収納部
３２  カバー
３３  開口
３５  取っ手
３６  凹部
【図１】
2006151619.tif 000003
【図２】
2006151619.tif 000004
【図３】
2006151619.tif 000005
【図４】
2006151619.tif 000006
【図５】
2006151619.tif 000007
【図６】
2006151619.tif 000008
【図７】
2006151619.tif 000009